(57)【要約】【課題】ユニットルーム等の天井面の意匠性を考慮して見栄えがよいものでありながら、天井点検口を閉塞状態とする覆蓋の落下、浮き上がりを防止可能な天井パネル構造を提供することを目的としている。【解決手段】天井点検口１と、該天井点検口１に係止具４を介し係止保持される点検口用覆蓋２とを備えた天井パネル構造において、上記天井点検口１の周縁には、上端部から外方下向きに折り返された折返部１ｂを有する起立片１ａが全周に亘り形成され、上記覆蓋２の周縁には、立上部２ａと、該立上部２ａの上端から外方に連成されたフランジ部２ｂとを備えた係止片２ｃが全周に亘り形成され、上記係止具４は、覆蓋２のフランジ部２ｂに取り付けられる取付部４ａと、該取付部４ａの一端に連成されフランジ部２ｂが上記起立片１ａの上端部１ｃに載置された状態で上記折返部１ｂに係止し得る係止部４ｂとを備えており、且つ天井パネル３と覆蓋２との間にはパッキン材Ｐが介在していることを特徴とする。【選択図】図１
2006328740.tif 000002
【特許請求の範囲】
【請求項１】
天井点検口と、該天井点検口に係止具を介し係止保持される点検口用覆蓋とを備えた天井パネル構造において、
上記天井点検口の周縁には、上端部から外方下向きに折り返された折返部を有する起立片が全周に亘り形成され、上記覆蓋の周縁には、立上部と、該立上部の上端から外方に連成されたフランジ部とを備えた係止片が全周に亘り形成され、上記係止具は、上記覆蓋のフランジ部に取り付けられる取付部と該取付部の一端に連成されフランジ部が上記起立片の上端部に載置された状態で上記折返部に係止し得る係止部とを備え、且つ天井パネルと覆蓋との間にはパッキン材が介在していることを特徴とする天井パネル構造。
【請求項２】
請求項１において、
上記係止具は、前記覆蓋の周縁に沿って等間隔で複数個取付けられることを特徴とする天井パネル構造。
【請求項３】
請求項１又は２において、
上記パッキン材は、上記フランジ部に装着され、前記起立片の上端部上でのフランジ部の載置は、このパッキン材を介してなされることを特徴とする天井パネル構造。
【請求項４】
請求項３において、
前記パッキン材は、前記起立片の内側面全周に亘り弾接されるシールリップ部を備えていることを特徴とする天井パネル構造。
【発明の詳細な説明】
【技術分野】
【０００１】
本発明は、ユニットルーム等の天井パネルに天井点検口が設けられた天井パネル構造に関し、詳しくは天井点検口と、該天井点検口に係止具を介し係止保持される点検口用覆蓋とを備えた天井パネル構造に関する。
【背景技術】
【０００２】
従来より、浴室等のユニットルームの天井パネルには、天井裏の電気配線、換気設備等のメンテナンスを行うために、天井点検口が設けられており、この天井点検口には、天井裏側から天井点検口を覆い被せるように、覆蓋が載置されるものが知られている。
該天井点検口は通常は上記覆蓋によって閉塞状態とされ、メンテナンスを行う際には、ユニットルーム内から覆蓋を持ち上げ、ずらすことにより天井点検口を開口させる構造とするものが一般的であった。
しかしながら、上述のように覆蓋が載置されただけの構造では、天井点検口の開閉が非常に容易であるため、掃除等の際に落下させてしまったり、密閉性の高いユニットルームの場合は、ドアの開閉により生じる風圧で覆蓋が浮き上がってしまう等の不都合があった。
下記特許文献１には、上述のような覆蓋の落下や浮き上がりを防止するため、回転式固定具（回転式係止具）によって、天井点検口の縁部に係止させ、点検蓋（覆蓋）を天井点検口に固定させる構造が開示されている。
【特許文献１】特開平８−１８４２４２号公報
【発明の開示】
【発明が解決しようとする課題】
【０００３】
図３は、従来例として特許文献１と同様に円板状の回転式係止具により、覆蓋を天井点検口に固定させる構造としたものを示した図であり、図３（ａ）は覆蓋が天井点検口に固定される前の状態、図３（ｂ）は覆蓋が回転式の固定具により固定された状態を夫々示している。
覆蓋２００の周縁には、立上部２００ａと立上部２００ａの上端から外方に連成されたフランジ部２００ｂとを備えた係止片２００ｃが覆蓋２００の全周に亘って形成されている。また該フランジ部２００ｂの外周面と立上部２００ａの外側面には、パッキン材Ｐ’が装着されており、パッキン材Ｐ’は、天井点検口１００の周縁の全周に亘って形成される起立片１００ａの内側面に弾接されるシールリップ部Ｐａを備えている。
覆蓋２００の周縁近傍部分には、係止具挿通孔２００ｄが設けられており、この係止具挿通孔２００ｄに、係止具３００の偏心位置に立設された軸体３００ａを挿通させ、軸体３００ａの上端に形成された係止爪部３００ｂを上記係止具挿通孔２００ｄの周縁に係止保持させておき、天井裏側から天井点検口１００を覆うように覆蓋２００を天井点検口１００の周縁に載置する。覆蓋２００の周縁に形成される係止片２００ｃが天井点検口１００の周縁に形成される起立片１００ａに、パッキン材Ｐ’を介して載置保持されたら、係止具３００を図３（ａ）の矢印方向へ回転させ、係止具３００の大径部側を天井点検口１００の周縁の下面部に位置するようにし、フランジ部２００ｂと係止具３００とにより天井点検口１００の周縁の一部を挟装して上記載置保持状態を維持するようにし、これにより天井点検口１００を閉塞状態とするものである。
【０００４】
しかしながら、上記特許文献１及び図例の構造では、係止具３００がユニットルーム内から見えるため、見栄えが悪く、掃除の際に邪魔になり、浴室の場合、該係止具３００に水滴が溜まりカビ発生の要因となる等、不都合な面がある。またこのような構造によれば、係止具挿通孔２００ｄや係止具３００に寸法誤差があると、覆蓋２００の係止保持の安定性が悪くなるため、寸法精度も求められる。
【０００５】
本発明は、上記実情に鑑みなされたものであり、ユニットルーム等の天井面の意匠性を考慮して見栄えがよいものでありながら、天井点検口を閉塞状態とする覆蓋の落下、浮き上がりを防止可能な天井パネル構造を提供することを目的としている。
【課題を解決するための手段】
【０００６】
請求項１の発明に係る天井パネル構造は、天井点検口と、該天井点検口に係止具を介し係止保持される点検口用覆蓋とを備えた天井パネル構造において、上記天井点検口の周縁には、上端部から外方下向きに折り返された折返部を有する起立片が全周に亘り形成され、上記覆蓋の周縁には、立上部と、該立上部の上端から外方に連成されたフランジ部とを備えた係止片が全周に亘り形成され、上記係止具は、上記覆蓋のフランジ部に取り付けられる取付部と該取付部の一端に連成されフランジ部が上記起立片の上端部に載置された状態で上記折返部に係止し得る係止部とを備え、且つ天井パネルと覆蓋との間にはパッキン材が介在していることを特徴とする。
【０００７】
本発明において、請求項２の発明のように、上記係止具は、前記覆蓋の周縁に沿って等間隔で複数個取付けられるものとすることができる。すなわち、少なくとも２個以上の係止具により、覆蓋を天井点検口に係止保持することができる。ここで覆蓋及び天井点検口の形状は略方形、長円形等、限定するものではない。
また請求項３の発明のように、上記パッキン材は、上記フランジ部に装着され、前記起立片の上端部上でのフランジ部の載置は、このパッキン材を介してなされ、更に請求項４の発明のように、前記パッキン材は、前記起立片の内側面全周に亘り弾接されるシールリップ部を備えたものとすることができる。
【発明の効果】
【０００８】
請求項１に記載の天井パネル構造によれば、係止具がユニットルーム内から見えないので、見栄えがよく、一様に平坦な天井面に構成することができる。また係止具は、上記覆蓋のフランジ部に取り付けられる取付部と該取付部の一端に連成されフランジ部が上記起立片の上端部に載置された状態で上記折返部に係止し得る係止部とを備え、且つ天井パネルと覆蓋との間にはパッキン材が介在しているので、天井点検口を閉塞する覆蓋が、天井パネルから落下したり、浮き上がることなく、確実に天井点検口の周縁に覆蓋を係止保持することができる。
【０００９】
請求項２に記載の天井パネル構造によれば、係止具を覆蓋の周縁に沿って等間隔で複数個取付けることにより、覆蓋を点検口に係止保持できる。
請求項３に記載の天井パネル構造によれば、パッキン材は、上記フランジ部に装着され、前記起立片の上端部上でのフランジ部の載置は、このパッキン材を介してなされるので、シール性をよくすることができる。よって、浴室に採用される場合、天井裏への水や水蒸気の浸入を防止することができる。
請求項４に記載の天井パネル構造によれば、パッキン材は、前記起立片の内側面全周に亘り弾接されるシールリップ部を備えているので、より一層シール性をよくすることができる。また覆蓋を左右にずらせて天井点検口から取り外し天井点検口を開口状態にする場合には、このシールリップ部が押圧変形されることにより、係止具の係止部が起立片の折返部から外れ、覆蓋をずらして開口状態とできるため、覆蓋の開閉が容易かつスムーズにできる。
【発明を実施するための最良の形態】
【００１０】
以下に本発明の最良の実施の形態について、図面に基づいて説明する。図１は本発明の天井パネル構造一例を示す部分切欠斜視図であり、図２のＸ部の拡大図、図２は本発明の天井パネル構造の部分断面図である。
【実施例１】
【００１１】
図１及び図２は、本発明をユニットバスルームの天井パネル３に採用した例を示している。
天井パネル３は鋼板を折曲加工、或いは合成樹脂パネルをプレス成型して形成され、天井パネル３の裏側上面には、石膏ボード、グラスウールボード等でなる断熱材（不図示）が貼着されて構成され、天井面の一部には、天井裏の電気配線、換気設備等のメンテナンスを行うために、天井点検口１が設けられている。この天井点検口１はメンテナンス時以外は通常、覆蓋２により閉塞状態されている。
天井点検口１の周縁には、上端部１ｃから外方下向きに折り返された折返部１ｂを有する起立片１ａが全周に亘り形成されている。また上記覆蓋２の周縁には、立上部２ａと、該立上部２ａの上端から外方に連成されたフランジ部２ｂとを備えた係止片２ｃが全周に亘り形成されている。
【００１２】
本発明は、図１及び図２に示すように、係止具４には、上記覆蓋２のフランジ部２ｂに取り付けられる取付部４ａと、該取付部４ａの一端に連成されフランジ部２ｂが上記起立片１ａの上端部１ｃに載置された状態で上記折返部１ｂに係止し得る係止部４ｂとを備えており、且つ天井パネル３と覆蓋２との間にはパッキン材Ｐが介在していることを特徴とした天井パネル構造であり、、これによれば、係止具４がユニットバスルーム内から見えないので、見栄えがよく構成できる。またここで天井パネル３と覆蓋２とを同一素材で構成すれば、統一感があり、より意匠性を考慮した天井面とすることができる。
よって、図２に示すように、天井面を一様に平坦に構成することができ、掃除がしや
すく衛生的である。
なお、図例では天井面を平坦に構成した例を示しているが、これに限られず覆蓋２を天井面より下方に突出させたり、或いは上方に窪ませて配置させてもよいことは言うまでもない。
【００１３】
図１（ａ）は、覆蓋２が天井点検口１に係止保持される前の状態、図１（ｂ）は覆蓋２が天井点検口１に係止保持された状態を夫々示している。
係止具４は、上述の通り、覆蓋２のフランジ部２ｂに取り付けられる取付部４ａと、該取付部４ａの一端に連成されフランジ部２ｂが上記起立片１ａの上端部１ｃに載置された状態で上記折返部１ｂに係止し得る係止部４ｂとを備えており、且つ天井パネル３と覆蓋２との間にはパッキン材Ｐを介在させた構造としているので、天井点検口１を閉塞する覆蓋２が、天井パネル３から落下したり、ドアの開閉等による風圧で浮き上がることなく、確実に覆蓋２を天井点検口１に係止保持することができる。
【００１４】
ここで天井点検口１の全体形状は図示していないが、特に限定されるものではなく、本発明であれば、略方形、長円形等いずれの形状でも適用可能であり、係止具４は、覆蓋２の周縁に沿って等間隔で複数個取付けられる。例えば略方形の天井点検口１の場合、覆蓋２も天井点検口１の形状に対応して略方形でなり、覆蓋２の周縁の互いの対辺とする位置に、少なくとも２個の係止具４を取り付ければよい。
【００１５】
パッキン材Ｐは、軟質の合成樹脂やゴム材等の弾性材製でなり、天井パネル３と覆蓋２との間、すなわち本実施例では、フランジ部２ｂに装着され、該フランジ部２ｂを外側から抱え込むような構造としており、起立片１ａの上端部１ｃ上でのフランジ部２ｂの載置は、このパッキン材Ｐを介してなされ、またパッキン材Ｐは、起立片１ａの内側面全周に亘り弾接されるシールリップ部２ｄを備えている。これにより、シール性をよくすることができるので、ユニットバスルームの天井裏へ、水や水蒸気が浸入することを防止できる。
また覆蓋２を天井点検口１から取り外して、天井点検口１を開口状態にする場合には、このシールリップ部２ｂが押圧変形され、係止具４の係止部４ｂから起立片１ａが外れ、覆蓋２をずらして開口状態とできるため、覆蓋２の開閉が容易かつスムーズにできる。
ここでパッキン材Ｐは起立片１ａ及びフランジ部２ｂに跨って接着等により、取り付けられるものとしても良いことは言うまでもない。
【００１６】
次いで天井点検口１への覆蓋２の取付け要領を説明する。
まず、パッキン材Ｐが装着された状態の係止片２ｃの適所に係止具４を複数個取り付けておく。このとき係止具４は、取付部４ａによりパッキン材Ｐを介してフランジ部２ｂを抱え込むような構造となっているので、ぐらついたり、取り付け位置から落下してしまう心配がない。次いで、覆蓋２をユニットバスルーム内から上方に持ち上げて、係止具４の係止部４ｂが折返部１ｂに係止し得るように、覆蓋２をフランジ部２ｂをして起立片１ａの上端部１ｃ上に載置し、これにより覆蓋２が天井点検口１の周縁に係止保持され、天井点検口１が閉塞される。
ここで係止具４は、フランジ部２ｂ又はパッキン材Ｐに接着等により、取り付けられるものとしても良いことは言うまでもない。
取付後、図１（ｂ）に示すように、天井点検口１の周縁の起立片１ａと覆蓋２の立上片２ａとの間には隙間が生じるが、ここにはパッキン材Ｐのシールリップ部Ｐａが起立片１ａの内側全周に亘って弾接されるので、シール性を確保できる。
【００１７】
なお、メンテナンスを行う際等、天井点検口１を開口状態とする場合、すなわち天井点検口１から覆蓋２を取外す場合は、ユニットバスルーム内から図２の覆蓋２を左右のいずれかにずらせて係止部４ｂと折返部１ｂの係止を解除した上で持ち上げるように、上方へ向けて力をかければ、容易に取外しすることができる。ここで左右にずらせる際、パッキン材Ｐのシールリップ部Ｐａが弾性変形し、緩衝材となるから、左右への移動を容易になされる。
【図面の簡単な説明】
【００１８】
【図１】（ａ）、（ｂ）は本発明の天井パネル構造の一例を示す部分切欠斜視図であり、図２のＸ部の拡大図である。
【図２】本発明の天井パネル構造の部分断面図である。
【図３】（ａ）、（ｂ）は従来の天井パネル構造の一例を示す部分切欠斜視図である。
【符号の説明】
【００１９】
１    天井点検口
１ａ  起立片
１ｂ  折返部
１ｃ  上端部
２    覆蓋
２ａ  立上部
２ｂ  フランジ部
２ｃ  係止片
３    天井パネル
４    係止具
４ａ  取付部
４ｂ  係止部
Ｐ    パッキン材
Ｐａ  シールリップ部
【図１】
2006328740.tif 000003
【図２】
2006328740.tif 000004
【図３】
2006328740.tif 000005